(57)【特許請求の範囲】
【請求項１】
天板と、
前記天板を支持する支持体と、
該天板の下面に設けられ、該天板の下部に収納された収納位置と該天板の縁部から突出する取出位置との間でスライド可能な引出しと、
該引出しの側方となる範囲の少なくとも一部で、前記天板の下面に設けられた閉塞部と、
該閉塞部の前面を前記収納位置の前記引出しの前面と略同一面上とする閉塞位置と、前記閉塞部の前面を前記収納位置の前記引出しの前面よりも内部に向かって後退させた退避位置との間で、前記閉塞部をスライド可能とする移動機構と、
を備えることを特徴とするデスク装置。
【請求項２】
前記移動機構は、前記天板に対して前記閉塞部を着脱可能に支持することを特徴とする請求項１に記載のデスク装置。
【請求項３】
前記天板の前記縁部に沿って見たときに、前記閉塞部の前面と前記引出しの前面とが同一形状に形成されていることを特徴とする請求項１または２に記載のデスク装置。
【請求項４】
前記移動機構は、
前記閉塞部が接続され、上下方向に貫通するとともに前記閉塞位置と前記退避位置とを結ぶスライド方向に延びる長孔が形成された移動部本体と、
前記天板の下面に取付けられ、前記長孔内を前記スライド方向に移動可能となるように前記移動部本体を支持する支持部材と、
を有することを特徴とする請求項１から３のいずれか一項に記載のデスク装置。
【請求項５】
前記支持部材は取付けネジであり、
前記取付けネジは、前記天板の下面に設けられたネジ孔に螺合することにより前記天板に取付けられていることを特徴とする請求項４に記載のデスク装置。
【発明の詳細な説明】
【技術分野】
【０００１】
本発明は、オフィスなどの執務空間にて使用されるデスク装置に関する。
【背景技術】
【０００２】
従来、オフィスなどの執務空間にて使用されるデスク装置においては、デスク装置の使い勝手を良好とするために、デスク装置の天板の下面に支持レールを取付け、この支持レールにより天板の下方に引出しをスライド可能に設けたものが知られている。
【０００３】
支持レールを天板の下面に取付ける方法としては、たとえば特許文献１に示すように、前後に延びるように形成された支持レールの前部および後部に設けたねじ挿通孔にねじを挿通し、それぞれのねじを天板の下面に開口させたねじ孔にねじ止めする方法がある。
また、他の取付け方法として、たとえば特許文献２に示すように、支持レールの前端部に突設された側面視前向き鉤状の前部係止爪を天板の下面に形成されたスリット状の前部係合穴に差し込むとともに、支持レールの中央部に形成された係止爪を天板の下面に固着された補強枠に嵌め込む方法が知られている。
これらの方法によれば、使用者のニーズに応じて支持レールと引出しの取付け、取外しを自由に行うことができ、デスク装置の使い勝手を良好とすることができる。
【先行技術文献】
【特許文献】
【０００４】
【特許文献１】特開２００３−２１９９１２号公報
【特許文献２】特開２００８−８８６６８号公報
【発明の概要】
【発明が解決しようとする課題】
【０００５】
しかしながら、デスク装置の幅寸法と、引出しとして使い勝手の良い幅寸法とのバランスにより、引出しの側方に隙間が形成され、デスク装置としての体裁が悪くなるという問題がある。
こうした場合に、隙間を閉塞するために所定の部材（閉塞部）を、引出しの側方のうち少なくとも前側に取付けて隙間を埋めることで、デスク装置の体裁を向上させることがある。しかし、この場合には、天板の縁部に仕切り板などの他の部材を取付けたい場合や、デスク装置を移動するときの持ち手として天板の縁部を利用する場合に、天板を使用し難くなる。
【０００６】
本発明は、このような問題点に鑑みてなされたものであって、引出しの側方に形成された隙間のうちの前側の部分を閉塞させて体裁の向上を図るとともに、必要に応じて天板の縁部を利用することが可能なデスク装置を提供することを目的とする。
【課題を解決するための手段】
【０００７】
上記課題を解決するために、この発明は以下の手段を提案している。
本発明のデスク装置は、天板と、前記天板を支持する支持体と、該天板の下面に設けられ、該天板の下部に収納された収納位置と該天板の縁部から突出する取出位置との間でスライド可能な引出しと、該引出しの側方となる範囲の少なくとも一部で、前記天板の下面に設けられた閉塞部と、該閉塞部の前面を前記収納位置の前記引出しの前面と略同一面上とする閉塞位置と、前記閉塞部の前面を前記収納位置の前記引出しの前面よりも内部に向かって後退させた退避位置との間で、前記閉塞部をスライド可能とする移動機構と、を備えることを特徴としている。
【０００８】
この発明によれば、引出しが収納位置に配置された状態で閉塞部を閉塞位置に配置することで、引出しの前面と閉塞部の前面とが略同一面上に位置する。このため、引出しの側方に形成された隙間のうちの前側を閉塞部で閉塞して、デスク装置の体裁を向上させることができる。さらに、移動機構により閉塞部を閉塞位置から退避位置にスライドさせることで、引出しの側方を閉塞している閉塞部を内部に向かって後退させ、必要なときに天板の縁部を利用することができる。
【０００９】
また、上記のデスク装置において、前記移動機構は、前記天板に対して前記閉塞部を着脱可能に支持することがより好ましい。
この発明によれば、閉塞部が不要なときに、引出しの側方の隙間から閉塞部を取外すことができる。
【００１０】
また、上記のデスク装置において、前記天板の前記縁部に沿って見たときに、前記閉塞部の前面と前記引出しの前面とが同一形状に形成されていることがより好ましい。
この発明によれば、引出しが収納位置に配置された状態で閉塞部を閉塞位置に配置することで、天板の縁部に沿って見たときに、引出しの前面と閉塞部の前面との形状が重なる。これにより、デスク装置の体裁を向上させることができる。
【００１１】
また、上記のデスク装置において、前記移動機構は、前記閉塞部が接続され、上下方向に貫通するとともに前記閉塞位置と前記退避位置とを結ぶスライド方向に延びる長孔が形成された移動部本体と、前記天板の下面に取付けられ、前記長孔内を前記スライド方向に移動可能となるように前記移動部本体を支持する支持部材と、を有することがより好ましい。
この発明によれば、支持部材に対して長孔が形成された移動部本体をスライド方向に移動させることで、支持部材が移動部本体を支持した状態で、閉塞部が接続された移動部本体を閉塞位置と退避位置との間でスライドさせることができる。
【００１２】
また、上記のデスク装置において、前記支持部材は取付けネジであり、前記取付けネジは、前記天板の下面に設けられたネジ孔に螺合することにより前記天板に取付けられていることがより好ましい。
この発明によれば、取付けネジおよびネジ孔という簡単な構成で移動部本体を支持することができる。さらに、ネジ孔から取付けネジを取外すことで、天板の下面を利用し易くすることができる。
【発明の効果】
【００１３】
本発明のデスク装置によれば、引出しの側方に形成された隙間のうちの前側の部分を閉塞させて体裁の向上を図るとともに、必要に応じて天板の縁部を利用することができる。
【図面の簡単な説明】
【００１４】
【図１】本発明の実施形態のデスク装置の斜視図である。
【図２】図１中の切断線Ａ１−Ａ１の断面図である。
【図３】同デスク装置のネジ座の斜視図である。
【図４】同ネジ座の一部を破断した側面図である。
【図５】同デスク装置の裏面板の斜視図である。
【図６】同デスク装置の裏面板にネジ座を取付ける工程を説明する断面図である。
【図７】同デスク装置の裏面板にネジ座を取付ける工程を説明する断面図である。
【図８】同デスク装置の移動部本体の斜視図である。
【図９】同デスク装置の移動部本体を構成する取付け材の斜視図である。
【図１０】同デスク装置の移動部本体を構成する化粧材受けの斜視図である。
【図１１】同デスク装置の化粧材を構成する正面板の斜視図である。
【図１２】同デスク装置の化粧材を構成するサイドカバーの斜視図である。
【図１３】同デスク装置の移動部本体に化粧材を取付ける工程を説明する断面図である。
【図１４】同デスク装置の移動部本体に化粧材を取付けた状態を示す斜視図である。
【図１５】同デスク装置で化粧材を退避位置に移動させたときの状態を説明する断面図である。
【図１６】本発明の実施形態の変形例のデスク装置の正面の要部の断面図である。
【図１７】図１６中の切断線Ａ２−Ａ２の断面図である。
【発明を実施するための形態】
【００１５】
以下、本発明に係るデスク装置の実施形態を、図１から図１７を参照しながら説明する。
図１および図２に示すように、本実施形態のデスク装置１は、平面視で長方形形状に形成された板状の天板２と、天板２の使用者側となる前縁をなす長辺２ａに平行な左右方向Ｘの両端部に、間隔をおいて一対取付けられ、天板２を支持する側面視コ字状の脚体（支持体）３と、天板２の下面に設けられた引出し４と、引出し４の側方（左右方向Ｘ）に配設された化粧材（閉塞部）５と、化粧材５をスライド可能とする移動機構６とを備えている。
本実施形態では、左右方向Ｘに４つ並べられた引出し４のうち、両端部には左右方向Ｘの幅の狭い引出し４Ａが、中央部には左右方向Ｘの幅の広い引出し４Ｂが配置されている。中央部に並べられた２つの引出し４Ｂの間（側方）に一定の隙間が形成されていて、その隙間に化粧材５が配置されている。
【００１６】
図１に示すように、一対の脚体３間の後方Ｙ１側（天板２の短辺２ｂに平行な前後方向Ｙの使用者に対する反対側）には、幕板９が立設されている。幕板９の左右方向Ｘの両端部は、一対の脚体３にそれぞれ接続されている。脚体３の下面には、アジャスタ１０が取付けられ、アジャスタ１０が取付けられた位置での不図示の床面から脚体３の下面までの高さを調節することができる。これら天板２、一対の脚体３および幕板９は、一体となってデスク装置１を強固に構成している。
天板２の下面には、前後方向Ｙに延びる不図示の支持レールが取付けられている。引出し４は、支持レールに案内されることで、天板２の下部に収納された収納位置Ｐ１と天板２の縁部２ｃから突出する取出位置Ｐ２との間でスライド可能となっている。
【００１７】
図２に示すように、天板２は、上方に配置された表面板１３と、表面板１３と一定の間隔をおいて表面板１３の下方に配置された裏面板１４と、を有している。本実施形態では、表面板１３および裏面板１４は、水平面に対して平行になるように配置されている。
表面板１３および裏面板１４は、金属板により形成されている。表面板１３の端部は内側に折り返されてフランジ部１３ａが形成されている。裏面板１４は、上方に折り曲げられた自身の端部１４ａが表面板１３のフランジ部１３ａに固定されることにより、表面板１３に取付けられている。
表面板１３のフランジ部１３ａの側面には、樹脂製のサイドエッジ１５が装着されている。
なお、表面板１３と裏面板１４との固定方法は、上記の方法に限ることなく公知の様々な方法を用いることができる。また、以下では、説明の便宜のため、裏面板１４に対する上方を内側Ｄ１、下方を外側Ｄ２とする。
【００１８】
以下では、まず、裏面板１４に着脱可能に取付けられるネジ座１８について説明する。
図３および図４に示すように、ネジ座１８は、ネジ孔２１ａが形成されるとともに、裏面板１４の内面（内側Ｄ１の面）１４ｂ（図２参照）に当接する本体部１９と、本体部１９から裏面板１４の内面１４ｂに沿って前後方向Ｙに延設された固定部２０とを備えている。
本体部１９は、ナット部材２１と、ナット部材２１が嵌合された嵌合孔２２が形成されたネジ座本体２３とを有している。なお、前述のネジ孔２１ａはナット部材２１に形成されたものである。
ネジ座本体２３には、嵌合孔２２に連通する通し孔２３ａが形成されている。通し孔２３ａの内径は嵌合孔２２の内径よりも小さく設定され、嵌合孔２２と通し孔２３ａとが連通する部分には段部２３ｂが形成されている。
【００１９】
固定部２０における本体部１９に対する反対側の端部には、裏面板１４の内面１４ｂに沿って前後方向Ｙに弾性変形可能な係止爪２４が設けられている。係止爪２４には、外側Ｄ２から内側Ｄ１に向かうにしたがって固定部２０側から本体部１９側に向かうように形成された傾斜面２４ａが設けられている。係止爪２４には、裏面板１４の後述する開口部２９の内周面に係止する内周面側係止部２５が設けられている。
ネジ座本体２３、固定部２０、係止爪２４および内周面側係止部２５は、たとえば樹脂などで一体に成形されている。
裏面板１４にネジ座１８が取付けられた状態において、内周面側係止部２５は、裏面板１４の外面（外側Ｄ２の面）から外側Ｄ２に向けてわずかに突出するように設定されている。
【００２０】
図２および図５に示すように、裏面板１４には、ネジ孔２１ａと連通し、外面から内面１４ｂに貫通するボルト挿通孔２８と、固定部２０の一部が下方に露出するように形成され、ネジ座１８が挿脱可能な大きさに形成された開口部２９と、開口部２９の内側Ｄ１に設けられるとともに両端部が開口部２９の縁部に接続された湾曲体３０とが設けられている。
ボルト挿通孔２８は、開口部２９に対して後方Ｙ１となるように配置されている。
ボルト挿通孔２８は、ネジ孔２１ａの内径にほぼ等しい円形に形成されている。
開口部２９はほぼ矩形形状に形成され、開口部２９の前後方向Ｙの長さは、湾曲体３０の前後方向Ｙの長さより長く設定されている。
開口部２９におけるボルト挿通孔２８に対する反対側の縁部が、ネジ座１８の係止爪２４の内側Ｄ１から外側Ｄ２への移動を規制する第一の係止部３１となっている。
【００２１】
湾曲体３０は、開口部２９の中央部の内側Ｄ１の位置に裏面板１４とほぼ平行に配置された第二の係止部３２と、第二の係止部３２の端部と開口部２９の縁部とを左右方向Ｘに接続し、ネジ座１８が左右方向Ｘに移動するのを規制する一対の規制部３３とを有している。
第二の係止部３２は、ネジ座１８の固定部２０の外側Ｄ２から内側Ｄ１への移動を規制し、開口部２９のボルト挿通孔２８側の縁部２９ａに対してネジ座１８の本体部１９を挿脱可能とする空間部を形成するように設けられている。
以上説明したボルト挿通孔２８、開口部２９および湾曲体３０は、たとえば、裏面板１４をプレス機により加工するときに一度に形成されている。より詳しくは、裏面板１４にボルト挿通孔２８および開口部２９を形成するときに、裏面板１４の内側Ｄ１に絞り加工することにより湾曲体３０が形成されている。
【００２２】
ここで、以上のように構成した裏面板１４にネジ座１８を取付ける手順について説明する。
まず、図６に示すように、使用者は、裏面板１４の外側Ｄ２からネジ座１８を裏面板１４の開口部２９に近づけ、開口部２９の縁部２９ａと第二の係止部３２との間に形成された空間部にネジ座１８の本体部１９を挿入する。
そして、ネジ座１８の固定部２０を縁部２９ａ回りの一方側Ｅ１へ回転させることで、図７に示すように、傾斜面２４ａが第一の係止部３１に当接して係止爪２４が後方Ｙ１に移動する。さらに、固定部２０を一方側Ｅ１へ回転させると、図２に示すように、本体部１９が裏面板１４の内面１４ｂに当接すると同時に、固定部２０が第二の係止部３２に当接する。このとき、第一の係止部３１の内側の面により係止爪２４が係止され、内周面側係止部２５が開口部２９の内周面に係止される。
【００２３】
なお、裏面板１４からネジ座１８を取外すときには、使用者は、裏面板１４の外面から外側Ｄ２に突出した内周面側係止部２５を後方Ｙ１に移動させることで、係止爪２４と第一の係止部３１との係止を解除した状態で、固定部２０を縁部２９ａ回りに一方側Ｅ１とは反対となる他方側Ｅ２（図６参照）に回転させ、ネジ座１８を第二の係止部３２と開口部２９の縁部２９ａとの間から開口部２９を経て外側Ｄ２に引き抜く。
このように、ネジ座１８は裏面板１４に着脱可能に取付けることができる。
【００２４】
引き続いて、デスク装置１の説明を行う。
図２および図８に示すように、移動機構６は、上下方向に貫通するとともに前後方向Ｙに延びる長孔４２ａが形成された移動部本体３６と、長孔４２ａに挿通されて天板２の下面に設けられたネジ孔２１ａに取付けられ、長孔４２ａ内を前後方向Ｙに移動可能となるように移動部本体３６を支持する取付けネジ（支持部材）３７とを有する。本実施形態では、移動部本体３６は金属板により形成されている。
移動部本体３６は、図８に示すように、取付け材３８と化粧材受け３９とをスポット溶接などで互いに接続することにより構成されている。
図９に示すように、取付け材３８は、前後方向Ｙに直交するように配置された板状の垂下部４０と、垂下部４０の左右方向Ｘの両端部から後方Ｙ１に延びる一対の延設部４１と、一対の延設部４１の間でそれぞれ対応する延設部４１の上端に取付けられた一対の天板取付け部４２とを有している。天板取付け部４２には、前述の長孔４２ａがそれぞれ形成されている。
垂下部４０の下部には、金属板の端部を後方Ｙ１に折り返したフランジ部４３が形成されている。
【００２５】
図１０に示すように、化粧材受け３９は、前後方向Ｙに直交するように配置された板状の垂下部４５と、垂下部４５の上端部から前後方向Ｙのうち後方Ｙ１とは反対方向の前方Ｙ２に延びる支持部４６と、支持部４６の前方Ｙ２の端部から上方に折り返された受け側係合部４７と、垂下部４５の中央部から前方Ｙ２に突出して互いに左右方向Ｘに並ぶように一対形成された爪部４８とを有している。爪部４８は、本実施形態では垂下部４５の中央部を前方Ｙ２に切り起こして形成されている。
爪部４８の前縁下部には、上方に向かうにしたがって前方Ｙ２に向かうように形成された導入面４８ａが設けられている。垂下部４５の左右方向Ｘの両端部および下方の端部はそれぞれ後方Ｙ１に折返されていて、一対の側方折返し片４９、下方折返し片５０が形成されている。
このように構成された取付け材３８および化粧材受け３９は、たとえば、垂下部４０と垂下部４５、延設部４１と側方折返し片４９、フランジ部４３と下方折返し片５０、を適宜スポット溶接することにより互いに接続されている。
【００２６】
取付けネジ３７は、移動部本体３６の長孔４２ａを挿通した状態で天板２のネジ孔２１ａに螺合することにより、天板２に取付けられている。そして、取付けネジ３７を緩めた状態で、取付けネジ３７に対して移動部本体３６を長孔４２ａが延設された前後方向Ｙにスライドするように移動させることができる。すなわち、移動部本体３６がスライド可能なスライド方向とは、前後方向Ｙとなっている。
【００２７】
図２に示すように、化粧材５は、左右方向Ｘに延びるように形成された正面板５３と、正面板５３の両端部を覆うサイドカバー５４、５５とを有して構成されている（サイドカバー５５は図１４参照）。なお、サイドカバー５５は、サイドカバー５４に対して面対称の形状となっているので説明を省略する。
【００２８】
図１１に示すように、正面板５３は、たとえば樹脂を押出し成形することにより形成されている。正面板５３は、前後方向Ｙに直交するように配置された板状の正面板本体５６と、正面板本体５６の下端部から後方Ｙ１に延びる下方支持部５７と、正面板本体５６の上端部から前方Ｙ２および後方Ｙ１にそれぞれ延びる上方支持部５８とを有している。
下方支持部５７の後方Ｙ１側の端部には、上方に向けて突出した化粧側下方係合部５７ａが設けられている。また、上方支持部５８の前方Ｙ２側、後方Ｙ１側の端部には、下方に向けて突出した化粧側上方突出部５８ａ、化粧側上方係合部５８ｂがそれぞれ設けられている。
【００２９】
図１２に示すよう、サイドカバー５４は、左右方向Ｘに直交する板状に形成されたカバー本体５９と、カバー本体５９から左右方向Ｘのうちの一方側に延びる第一の延在部６０および第二の延在部６１とを有している。
カバー本体５９は、正面板５３の縁部全体を覆うことが可能となるように形成されている。すなわち、カバー本体５９は、正面板本体５６および下方支持部５７の縁部を覆う第一の本体部５９ａと、第一の本体部５９ａから前方Ｙ２側へと延び上方支持部５８の縁部を覆う第二の本体部５９ｂとを有している。カバー本体５９は、第一の本体部５９ａと第二の本体部５９ｂとにより全体として略Ｌ字形に形成されている。カバー本体５９の後方Ｙ１であって上方の部分には、第一の本体部５９ａと第二の本体部５９ｂとが結合することで生じた切欠き部５９ｃが形成されている。
【００３０】
第一の延在部６０は、上方支持部５８および化粧側上方突出部５８ａに対応する側面視でＬ字形に形成されている。第一の延在部６０は、カバー本体５９が正面板５３の縁部に当接した状態で、正面板本体５６と化粧側上方突出部５８ａとの間に、上方支持部５８および化粧側上方突出部５８ａに沿うように配置されている。
また、第二の延在部６１は、正面板本体５６に対応する側面視で直線状に形成されている。第二の延在部６１は、カバー本体５９が正面板５３の縁部に当接した状態で、下方支持部５７と上方支持部５８との間に、正面板本体５６に沿うように配置されている。
【００３１】
カバー本体５９には、正面板５３の左右方向Ｘの縁部の形状に対応した不図示の溝部が形成されていて、この溝部を正面板５３の端部に係合させることにより、図２に示すように、サイドカバー５４を正面板５３に取付けることができる。
【００３２】
なお、図１に示すように、天板２の縁部２ｃに沿って左右方向Ｘに見たときに、化粧材５の前面（前方Ｙ２の面）と、引出し４の前面４ａとが同一形状に形成されている。具体的には、たとえば、左右方向Ｘに見たときに、引出し４の前面４ａが、図１１に示す化粧側上方突出部５８ａの前方Ｙ２の前面５８ｃと同一形状に形成されている。
【００３３】
図１３は、移動部本体３６に化粧材５を装着するときの状態を示している。
図１３に示すように、移動部本体３６の受け側係合部４７に化粧材５の化粧側上方係合部５８ｂを係合させながら、移動部本体３６の爪部４８の導入面４８ａに化粧材５の化粧側下方係合部５７ａを押し付ける。すると、導入面４８ａに沿って正面板５３が変形して化粧材５の化粧側上方係合部５８ｂと化粧側下方係合部５７ａの間隔が開き、図２に示すように爪部４８に化粧側下方係合部５７ａが係合して、図１４に示すように、移動部本体３６に化粧材５が接続される。
このとき、図１３に示すように、化粧材５には切欠き部５９ｃが形成されているので、移動部本体３６に化粧材５を接続するときにサイドカバー５４が移動部本体３６に干渉するのが防止される。
【００３４】
以上のように化粧材５が接続された移動部本体３６を、収納位置Ｐ１に配置された引出し４の前面４ａと化粧材５の前面が略同一面上（「同一面上」も含む）に配置されるように調整し、取付けネジ３７をネジ孔２１ａに締付けた図１および図２に示す化粧材５の位置が閉塞位置Ｐ３である。取付けネジ３７をネジ孔２１ａに取付けたり取外したりすることで、移動機構６は、天板２に対して化粧材５を着脱可能に支持している。
この状態から、取付けネジ３７を回転させて緩めたうえで、図１５に示すように、移動部本体３６を長孔４２ａに沿って後方Ｙ１に退くように移動させ、化粧材５の前面を収納位置Ｐ１に配置された引出し４の前面４ａよりも退行させたときの化粧材５の位置が退避位置Ｐ４である。
化粧材５を退避位置Ｐ４に移動させることで、たとえば、目隠し用として用いられる不図示のサイドスクリーンを固定部材Ｋで天板２の縁部２ｃに取付けることができる。
【００３５】
以上説明したように、本実施形態のデスク装置１によれば、引出し４が収納位置Ｐ１に配置された状態で化粧材５を閉塞位置Ｐ３に配置することで、引出し４の前面４ａと化粧材５の前面とが略同一面上に位置する。このため、引出し４の側方に形成された隙間のうちの前側を化粧材５で閉塞して、デスク装置１の体裁を向上させることができる。さらに、移動機構６により化粧材５を閉塞位置Ｐ３から退避位置Ｐ４にスライドさせ、必要なときに天板２の縁部２ｃを利用することができる。
【００３６】
移動機構６は、天板２に対して化粧材５を着脱可能に支持するので、化粧材５が不要なときに、引出し４の側方の隙間から化粧材５を取外すことができる。
また、左右方向Ｘに見たときに、化粧材５の前面と引出し４の前面４ａとが同一形状に形成されている。このため、引出し４が収納位置Ｐ１に配置された状態で化粧材５を閉塞位置Ｐ３に配置することで、左右方向Ｘに見たときに、引出し４の前面４ａと化粧材５の前面との形状が重なる。これにより、デスク装置１の体裁を向上させることができる。
【００３７】
移動機構６は、移動部本体３６と取付けネジ３７とを有するので、取付けネジ３７に対して長孔４２ａが形成された移動部本体３６を前後方向Ｙに移動させることで、取付けネジ３７が移動部本体３６を支持した状態で、化粧材５が接続された移動部本体３６を閉塞位置Ｐ３と退避位置Ｐ４との間でスライドさせることができる。
さらに、支持部材は取付けネジ３７であり、取付けネジ３７は、天板２の下面に設けられたネジ孔２１ａに螺合することにより天板２に取付けられている。したがって、取付けネジ３７およびネジ孔２１ａという簡単な構成で移動部本体３６を支持することができる。さらに、ネジ孔２１ａから取付けネジ３７を取外すことで、天板２の下面を利用し易くすることができる。
【００３８】
以上、本発明の実施形態について図面を参照して詳述したが、具体的な構成はこの実施形態に限られるものではなく、本発明の要旨を逸脱しない範囲の構成の変更等も含まれる。
たとえば、図１６および図１７に示すデスク装置７１のように、上記実施形態の移動機構６に代えて、裏面板１４の下面に取付けられ前後方向Ｙに延びる一対のレール７２、７３と、このレール７２、７３に係合して前後方向Ｙにスライド可能な移動部本体７４とで構成された移動機構７５を用いてもよい。
移動部本体７４の両側面における上下方向の中間部には、前後方向Ｙに延びる溝部７６が形成されていて、レール７２、７３において左右方向Ｘの移動部本体７４側に突出する突出部７２ａ、７３ａがこの溝部７６に係合することにより、レール７２、７３が移動部本体７４を上下方向に支持している。
デスク装置７１をこのように構成することでも、引出し４の側方に形成された隙間のうちの前側を化粧材５で閉塞させるともに、化粧材５を閉塞位置Ｐ３から移動させることができる。
【００３９】
上記実施形態では、支持部材は取付けネジ３７であるとしたが、長孔４２ａ内を前後方向Ｙに移動可能なフック部材などでもよい。
また、上記実施形態では、移動機構６は、天板２に対して化粧材５を着脱できなくても、化粧材５を閉塞位置Ｐ３と退避位置Ｐ４との間でスライドできればよい。
【符号の説明】
【００４０】
１、７１  デスク装置
２    天板
２ｃ  縁部
３    脚体（支持体）
４    引出し
５    化粧材（閉塞部）
６、７５  移動機構
２１ａ  ネジ孔
３６  移動部本体
３７  取付けネジ（支持部材）
４２ａ  長孔
Ｐ１  収納位置
Ｐ２  取出位置
Ｐ３  閉塞位置
Ｐ４  退避位置
Ｙ    前後方向（スライド方向）
【図１】
0005460379.tif 000002
【図２】
0005460379.tif 000003
【図３】
0005460379.tif 000004
【図４】
0005460379.tif 000005
【図５】
0005460379.tif 000006
【図６】
0005460379.tif 000007
【図７】
0005460379.tif 000008
【図８】
0005460379.tif 000009
【図９】
0005460379.tif 000010
【図１０】
0005460379.tif 000011
【図１１】
0005460379.tif 000012
【図１２】
0005460379.tif 000013
【図１３】
0005460379.tif 000014
【図１４】
0005460379.tif 000015
【図１５】
0005460379.tif 000016
【図１６】
0005460379.tif 000017
【図１７】
0005460379.tif 000018